(57)【要約】【課題】動物によって掘り起こされてしまった箇所の補修後の土壌が、再度動物によって掘り起こされる問題を抑制すること。【解決手段】動物の掘り起こしによって生じた土壌中の補修箇所を補修するための、土壌の補修方法であって、土、砂、砂利、または石、若しくはそれらの混合物からなる粒状物１０と、オボアルブミンを含む生分解性の固化剤２０と、動物忌避剤３０と、を含んだ混練物を少なくとも有する固化成型体からなる土壌補修材Ａを、土壌中の補修箇所に充填する工程を少なくとも含む。【選択図】図１
2019180293.tif 000002
【特許請求の範囲】
【請求項１】
動物の掘り起こしによって生じた土壌中の補修箇所を補修するための、土壌の補修方法であって、
土、砂、砂利、または石、若しくはそれらの混合物からなる粒状物と、オボアルブミンを含む生分解性の固化剤と、動物忌避剤と、を含んだ混練物を少なくとも有する固化成型体からなる土壌補修材を、土壌中の補修箇所に充填する工程を少なくとも含むことを特徴とする、
土壌の補修方法。
【請求項２】
前記動物忌避剤が、カプサイシンであることを特徴とする、
請求項１に記載の土壌の補修方法。
【請求項３】
前記固化成型体を、大きさの異なる複数のブロック状またはプレート状に構成してあることを特徴とする、
請求項１または２に記載の土壌の補修方法。
【請求項４】
前記固化成型体を、生分解シートで包装して一体化してあることを特徴とする、
請求項１乃至３のうち何れか１項に記載の土壌の補修方法。
【請求項５】
充填した土壌補修剤に、散水を行って固化剤の溶け出しを促進することを特徴とする、
請求項１乃至４のうち何れか１項に記載の土壌補修材。
【請求項６】
土壌中の補修箇所に充填して土壌を補修するための土壌補修材であって、
土、砂、砂利、または石、若しくはそれらの混合物からなる、粒状物と、
オボアルブミンを含む、生分解性の固化剤と、
動物忌避剤と、
を少なくとも含んだ混練物の固化成型体を少なくとも有することを特徴とする、
土壌補修材。
【発明の詳細な説明】
【技術分野】
【０００１】
本発明は、動物の掘り起こしによって生じた土壌中の補修箇所を補修するための土壌の補修方法、および土壌補修剤に関する。
【背景技術】
【０００２】
イノシシ等の動物による土壌の掘り起こしは、堤防、法面の強度低下の要因となるため、掘り起こし発生後、直ちに補修することが好ましい。
また、イノシシ等の動物による掘り起こしは繰り返されることが多いので、習慣性をなくすことが求められる。
そこで、動物による被害が多発する場所には、柵または電気柵による障壁によって動物の侵入を防ぐ方法や、忌避剤の散布によって動物が近づくことを回避する方法が取られている。
【０００３】
しかし、上記の抑制方法では以下の問題を奏する。
（１）障壁を用いる際の問題
障壁によって、動物の侵入を防ぐ方法は、十分な高さの柵を設置しても、障壁の乗り越えや、障壁の下部を掘り起こして通過されてしまう被害が多数報告されており、十分な効果を得られない。
（２）忌避剤を用いる際の問題
補修箇所の周辺に忌避剤を散布する方法は、忌避効果が一時的であり、掘り起こされた場所を補修しても、再度掘り起こされてしまう現象が多数報告されている。これは、動物の習性に、土を掘り起こして自分の臭いを付けた場所は、埋められたとしても、もう一度そこを掘り起こして同様に臭いをつけることがあることが理由と考えられる。このように、一度動物によって土壌が掘り起こされてしまうと、当該補修箇所に対する動物の再訪を抑制することは非常に難しい実情がある。
【先行技術文献】
【非特許文献】
【０００４】
【非特許文献１】http://gekitai.kwn.ne.jp/mame/inoshishi.html
【発明の概要】
【発明が解決しようとする課題】
【０００５】
本発明は、動物が好ましい場所と認識することで生じる再訪性を抑制可能な手段の提供を目的とする。
【課題を解決するための手段】
【０００６】
上記課題を解決すべくなされた本願の第１発明は、動物の掘り起こしによって生じた土壌中の補修箇所を補修するための、土壌の補修方法であって、土、砂、砂利、または石、若しくはそれらの混合物からなる粒状物と、オボアルブミンを含む生分解性の固化剤と、動物忌避剤と、を含んだ混練物を少なくとも有する固化成型体からなる土壌補修材を、土壌中の補修箇所に充填する工程を少なくとも含むことを特徴とする。
また、本願の第２発明は、前記第１発明において、前記動物忌避剤が、カプサイシンであることを特徴とする。
また、本願の第３発明は、前記第１発明または第２発明において、前記固化成型体を、大きさの異なる複数のブロック状またはプレート状に構成してあることを特徴とする。
また、本願の第４発明は、前記第１発明乃至第３発明のうち何れか１つの発明において、前記固化成型体を、生分解シートで包装して一体化してあることを特徴とする。
また、本願の第５発明は、前記第１発明乃至第４発明のうち何れか１つの発明において、充填した土壌補修剤に、散水を行って固化剤の溶け出しを促進することを特徴とする。
また、本願の第６発明は土壌中の補修箇所に充填して土壌を補修するための土壌補修材であって、土、砂、砂利、または石、若しくはそれらの混合物からなる、粒状物と、オボアルブミンを含む、生分解性の固化剤と、動物忌避剤と、を少なくとも含んだ混練物の固化成型体を少なくとも有することを特徴とする。
【発明の効果】
【０００７】
本発明によれば、以下に記載する効果を奏する。
（１）動物に対する忌避効果を強く発揮できる。
土壌補修剤を構成する固化剤に含まれたオボアルブミンの匂い（腐敗臭も含む）が誘引剤となって、動物を積極的に誘引しつつ、その土壌補修材を動物が口にした途端に忌避剤の効果をより強烈に動物に与えることで、動物の再訪を抑制することができる。
（２）忌避効果を高められる。
動物忌避剤にカプサイシンを用いる事で、口にした動物に強烈な刺激を与えることで、誘引剤に対する忌避性を一度経験した動物に対する刷り込み効果を大きくすることができる。
（３）補修作業の利便性を更に向上できる。
動物の種類等によって異なる大きさや形状の穴に対して、土壌補修材を、異なるサイズのブロックやプレートで構成しておくことで、補修箇所の形状、大きさ、深さに併せて最適なサイズの土壌補修材を選択または組み合わせて土壌の補修作業を行うことができる。
（４）補修作業の利便性を更に向上できる。
固化成型体を生分解性シートで一体化してなるシート型の土壌補修剤を用意することにより、これらの土壌補修剤を積層して運搬することができるため、粒状の補修材のように運搬時のこぼれだしを懸念する必要が無くなる。
（５）土壌補修剤が周辺土壌と馴染みやすくなる。
充填した土壌補修剤に、散水を行って固化剤の溶け出しを促進することで、土壌補修剤が周辺の土壌になじむ時間を短縮できる。
【図面の簡単な説明】
【０００８】
【図１】本発明に係る土壌補修材の構成イメージ図。
【図２】本発明に係る土壌の補修方法の施工イメージ図。
【図３】本発明に係る土壌補修材の設置試験の結果を示す写真。
【図４】本発明に係る土壌補修材の変形例を示す概略図。
【発明を実施するための形態】
【０００９】
以下、図面を参照しながら、本発明の実施例について説明する。
【実施例１】
【００１０】
＜１＞全体概要（図１）
本発明に係る土壌補修材Ａは、粒状物１０と、生分解性の固化剤２０と、動物忌避剤３０と、を少なくとも有する材料を、混練・固化・成形作業を経て形成される。
前記土壌補修材Ａを構成する固化成型体は、図１に示すように大きさの異なるブロックにするなど、種々の形状、大きさに成形することができる。
以下、各材料の詳細と試験例について説明する。
【００１１】
＜２＞粒状物
粒状物１０とは、土、砂、砂利、または石、若しくはそれらの混合物を想定し、現場土壌から採取したものや、別途手配したもの等を用いることができる。
【００１２】
＜３＞固化剤
固化剤２０は、前記粒状物１０に対して固化作用を有する食品由来又は天然由来の成分を有効成分とし、特にオボアルブミンを含む。
固化剤に含まれたオボアルブミンは、腐敗の前後において動物を誘引する匂いを放つため、動物の誘引剤としても機能する。
オボアルブミンは、卵白から得ることができる。
その他にも、固化剤２０には、コラーゲン、カゼイン、ゼラチン、キトサン等を含めることができる。これらの成分は食品由来であるので、自然環境への負荷が小さく、分解性（崩壊性）を有する。
【００１３】
＜４＞動物忌避剤
動物忌避剤３０は、鳥獣に代表される動物を忌避する効果を有するものであれば、公知の中から適宜選択することができる。
特に、固化剤２０に卵白を用いる場合には、卵白の生分解が進行して卵白の腐敗臭が消失するまでの期間、継続して忌避効果を発揮できるものが好ましい。
上記した好ましい例として、本発明では動物忌避剤３０にカプサイシンを用いている。
【００１４】
＜５＞その他の混合剤
その他、本発明に係る土壌補修剤には、必要に応じて以下の混合剤を混合してもよい。
【００１５】
＜５．１＞架橋剤
土壌補修材Ａを構成する混練物にさらに固化剤２０に生分解性の架橋剤を加えてもよい。
生分解性の架橋剤を混合すると、卵白等の生分解性固化成分の分子間でアミノ酸同士が架橋されるため、同じ生分解性固化成分の濃度であっても、より高強度の土壌補修材Ａを得ることができる。
なお、固化体を生分解性とするためには、架橋剤も生分解性である必要がある。
【００１６】
＜５．１．１＞架橋剤の種類
無毒性の生分解性の架橋剤としては、尿素、ドデシル硫酸ナトリウム（ＳＤＳ）、ＰＥＧ誘導体、アルドース、ケトース（フルクトース）（特開2005-239706号を参照）等を好適に用いることができる。
このうち、無機塩（２価、３価または多価のカチオン塩）を用いる場合、固化体を埋設等する土壌中に不足している塩類を選択して用いても良い。これ以外のものは、高価であったり、毒性を有したりするために適しない。
【００１７】
＜５．２＞起泡剤・消泡剤
また、土壌補修材Ａの密度を好ましい値に調整するために食品由来の起泡材を使用してもよい。また、混練時に速度が上がってメレンゲ状態になった場合には、消泡材を使用して密度の調整を行ってもよい。
【００１８】
＜６＞試験例
本発明に係る土壌補修材Ａの動物忌避の持続効果について検証した。
まず、サンプルとして、動物忌避剤３０としてカプサイシンを混合した土壌補修材Ａを用意し、（ａ）気中に静置（ｂ）土壌中に静置（ｃ）生分解性の袋に入れた状態で土壌中に静置、の３種の態様で、所定時間経過後の辛味成分を測定した。
測定結果を以下の表１に示す。
［表１］
2019180293.tif 000003
経過日数が０日のサンプルの辛味成分を１００％とした場合、土壌中は２９日で約２０％、６０日以降は１０％以下まで低減した。
本結果から、カプサイシンを混合した土壌補修材Ａは、設置後、速い段階で動物が補食すると、より高い忌避効果が得られることが確認できた。
【００１９】
＜７＞使用方法（図２）
本発明に係る土壌補修材Ａを使用した例を図２に示す。
図２に示す補修箇所Ｘは、轍や、鳥獣の掘り起こし箇所などであり、窪みの形状は種々異なる。
このとき、サイズの大きな土壌補修材Ａを充填してもブロック間に隙間が残り、補修後の沈下を招く場合もある。
そこで、上記の隙間を埋めるように、サイズの小さな土壌補修材Ａも充填することで、補修箇所Ｘの中に、土壌補修材Ａを密に充填することができる。
その後、充填後の土壌補修材Ａは固化剤２０の溶け出しによってその後崩壊が進行し、土壌補修材Ａを構成する粒状物１０が補修箇所Ｘの土壌に馴染んでいく。
この固化剤２０の溶け出しを促進するために、充填後の土壌補修材Ａに対し、自発的に散水を行っても良い。
【００２０】
＜８＞動物の忌避効果
補修箇所Ｘに充填した土壌補修剤Ａは、固化剤２０の生分解が進行するまではオボアルブミンの匂い（腐敗臭も含む）が周囲に漂い、えさと誤認した動物が土壌補修材を動物が口にするべく、土壌を掘り起こそうとする。
しかし、土壌補修材に混練した動物忌避剤によって、土壌補修材を口にした動物は直ちに忌避行動を起こすこととなる。
よって、たとえ補修箇所Ｘが一度動物によって掘り起こされ、自分の臭いが付いていることにより再度掘り起こされやすい場所であったとしても、掘り起こしの際の動物忌避剤による強烈な刺激によって忌避効果を発揮し、以降の動物の再訪を抑制することができる。
【００２１】
＜９＞試験結果（図３）
カプサイシンを用いた動物忌避剤の有無による土壌補修剤Ａの設置試験を実施した。
図３（ａ）は、土壌補修剤の設置直後の写真であり、図３（ｂ）は、土壌補修剤の設置から約二週間が経過した状態の写真である。
図３（ｂ）からも明らかなように、カプサイシンを含んだ土壌補修剤Ａののみが残置している結果となった。
また、２４時間撮影による動画を確認したところ、カプサイシンを含まない土壌補修剤は、オボアルブミンの匂いに誘われた動物がえさと間違えて持ち帰った様子が確認でき、カプサイシンを含んだ土壌補修剤は、動物が一度口に含んだものの、直ぐに忌避行動を示しその場から立ち去った様子が確認できた。
【実施例２】
【００２２】
［土壌補修材Ａの変形例（図３）］
図４に、本実施例に係る土壌補修材Ａを示す。
本実施例では、プレート状に形成した土壌補修材Ａを、間隔を設けて複数配置し、これらを生分解シート４０で被覆して一体化することで、シート型の土壌補修材Ａ（補修シートＢ）を構成している。
生分解シート４０は、公知の製品から適宜選択すればよい。
本変形例に係る土壌補修材Ａ（補修シートＢ）によれば、補修シートＢを積層して運搬することができるため、粒状の補修材のように運搬時のこぼれだしを懸念する必要が無い。
また、補修シートＢを切断して任意の大きさにするなどして、充填量の微調整も可能であり、粒状の補修材を充填する場合と同等の補修効果を得ることができる。
【符号の説明】
【００２３】
Ａ    土壌補修材
Ｂ    補修シート
１０  粒状物
２０  固化剤
３０  動物忌避剤
４０  生分解シート
Ｘ    補修箇所
【図１】
2019180293.tif 000004
【図２】
2019180293.tif 000005
【図３】
2019180293.tif 000006
【図４】
2019180293.tif 000007